(57)【要約】【課題】個人が着る上着、下着、靴下などの衣服類一式を、該個人が冬季の早朝など、起床しなければならない時刻に合わせて、自動的に暖めておいてくれる衣服収納加温器を提供すること。【解決手段】上着類を掛けて収納することが可能なハンガー収納機構と靴下・下着類等を内部に収納することができる内部収納機構を有して構成される衣類収納部、該衣類収納部に収納された衣類を加温する加温機構と、所定時刻に設定すると該設定時刻の所定時間前から前記加温機構を作動開始させるタイマー機構とを少なくとも有して構成されてなることを特徴とする衣服収納加温器。【選択図】図１
2005253517.tif 000002
【特許請求の範囲】
【請求項１】
上着類を掛けて収納することが可能なハンガー収納機構と靴下・下着類等を内部に収納することができる内部収納機構を有して構成される衣類収納部、該衣類収納部に収納された衣類を加温する加温機構と、所定時刻に設定すると該設定時刻の所定時間前から前記加温機構を作動開始させるタイマー機構とを少なくとも有して構成されてなることを特徴とする衣服収納加温器。
【請求項２】
衣類収納部が、ハンガー収納機構部と内部収納機構部とに分離できるものであって、内部収納機構部は主たる構成材料が繊維であることを特徴とする請求項１記載の衣服収納加温器。
【請求項３】
衣類収納部が、ハンガー収納機構部と内部収納機構部とが一体的に形成されたものであることを特徴とする請求項１記載の衣服収納加温器。
【請求項４】
内部収納機構部が、靴下・下着類等を内部に収納できるポケット構造に形成されていることを特徴とする請求項１、２または３記載の衣服収納加温器。
【請求項５】
内部収納機構部が、靴下・下着類等を内部に収納できる蓋付きのボックス構造に形成されていることを特徴とする請求項１、２または３記載の衣服収納加温器。
【請求項６】
目覚まし時計機能を有し、前記所定時刻に設定する時刻が、該目覚まし時計機能の目覚まし時刻と対応するものであることを特徴とする請求項１、２、３、４または５記載の衣服収納加温器。
【請求項７】
前記設定時刻または加温作動開始時刻を基準にして、自動的に前記加温機構の作動を停止させる自動停止タイマー機構を有していることを特徴とする請求項１、２、３、４、５または６記載の衣服収納加温器。
【請求項８】
衣服収納加温器の本体全体形状が略５角形状を呈して構成され、かつ、フック形態部を有し、該フック形態部を用いて該衣服収納加温器全体が吊り下げ可能に構成されていることを特徴とする請求項１、２、３、４、５、６または７記載の衣服収納加温器。
【請求項９】
衣服収納加温器の本体全体形状が略５角形状を呈して構成され、かつ、穴あき形態部を有し、該穴あき形態部を用いて該衣服収納加温器全体が吊り下げ可能に構成されていることを特徴とする請求項１、２、３、４、５、６または７記載の衣服収納加温器。
【請求項１０】
ハンガー収納機構が、該ハンガー収納機構の一部として、衣服収納加温器の本体に対して別体として付設されていてズボン・スカート類を掛けて収納できる揺動可能なハンガー構造部を有して構成されていることを特徴とする請求項１、２、３、４、５、６、７、８または９記載の衣服収納加温器。
【発明の詳細な説明】
【技術分野】
【０００１】
本発明は、衣服収納加温器に関する。
【０００２】
さらに詳しくは、厳寒期の早朝などでも、個人が着用する上着、下着、靴下などの衣類の一式を起きる必要のある時間に合わせて暖めておくことにより、該衣類一式を暖かく着ることができるようにし、子供や学生、お年寄りや成人にまで喜ばれる衣服収納加温器に関するものである。
【背景技術】
【０００３】
従来、特に、厳寒期の早朝などにおいては暖かい布団から起き出して冷たい衣類を着用することは、つらいものであった。このため、従来から、各家庭内においては、衣類をこたつの中に入れておくなどの手段により暖めておくなどのことがなされてきているが、個人個人が着る衣服類一式を、全部整理良く暖めておくことは煩雑であり、なかなかできないものであった。ここで、個人個人が着る衣服類一式とは、上着、下着、靴下などの一揃いを言い、例えば、学生であれば上着とは制服上下などであり、下着とはアンダーシャツ、ズボン下やパンツなどをいう。さらに、上着・下着の他に、靴下やパンティストッキングなどが該一式の中に含まれ得るものである。
【０００４】
一方、個人が着用する衣服を、ハンガーに吊している時間内に暖めておいて、早朝の起床時に暖かい状態で該衣服を着られるようにするという提案があり、具体的には衣服を掛けるハンガーの本体表面もしくは内部に発熱手段を設けたという保温ハンガーが提案され、この保温ハンガーには靴下等をも掛けることができるようにされていて、かつ、設定時間に作動するようにタイマー機構を有するものであること、さらに該タイマーは目覚まし機能も有するようにできる保温ハンガーが提案されている（特許文献１、２）。
【０００５】
しかしながら、かかる保温ハンガーでは、上述した個人の衣服類一式を暖めるという点では不十分なものであり、特に、下着類や靴下、ストッキングなどを暖めるという点では、構造的に不十分であった。
【特許文献１】実開平３−４５７７８号公報
【特許文献２】実開昭６３−７３０８３号公報
【発明の開示】
【発明が解決しようとする課題】
【０００６】
本発明の目的は、上述したような点に鑑み、個人が着る上着、下着、靴下などの衣服類一式を、該個人が冬季の早朝など、起床しなければならない時刻に合わせて、自動的に暖めておいてくれる衣服収納加温器を提供することにある。
【課題を解決するための手段】
【０００７】
上述した目的を達成する本発明の衣服収納加温器は、以下の(1) の構成からなる。
（１）上着類を掛けて収納することが可能なハンガー収納機構と靴下・下着類等を内部に収納することができる内部収納機構を有して構成される衣類収納部、該衣類収納部に収納された衣類を加温する加温機構と、所定時刻に設定すると該設定時刻の所定時間前から前記加温機構を作動開始させるタイマー機構とを少なくとも有して構成されてなることを特徴とする衣服収納加温器。
【０００８】
さらに、かかる本発明の衣服収納加温器は、好ましくは、以下の(2) 〜(10)に示す具体的態様を有するものである。
（２）衣類収納部が、ハンガー収納機構部と内部収納機構部とに分離できるものであって、内部収納機構部は主たる構成材料が繊維であることを特徴とする上記(1) 記載の衣服収納加温器。
（３）衣類収納部が、ハンガー収納機構部と内部収納機構部とが一体的に形成されたものであることを特徴とする上記(1) 記載の衣服収納加温器。
（４）内部収納機構部が、靴下・下着類等を内部に収納できるポケット構造に形成されていることを特徴とする上記(1) 、(2) または(3) 記載の衣服収納加温器。
（５）内部収納機構部が、靴下・下着類等を内部に収納できる蓋付きのボックス構造に形成されていることを特徴とする上記(1) 、(2) または(3) 記載の衣服収納加温器。
（６）目覚まし時計機能を有し、前記所定時刻に設定する時刻が、該目覚まし時計機能の目覚まし時刻と対応するものであることを特徴とする上記(1) 、(2) 、(3) 、(4) または(5) 記載の衣服収納加温器。
（７）前記設定時刻または加温作動開始時刻を基準にして、自動的に前記加温機構の作動を停止させる自動停止タイマー機構を有していることを特徴とする上記(1) 、(2) 、(3) 、(4) 、(5) または(6) 記載の衣服収納加温器。
（８）衣服収納加温器の本体全体形状が略５角形状を呈して構成され、かつ、フック形態部を有し、該フック形態部を用いて該衣服収納加温器全体が吊り下げ可能に構成されていることを特徴とする上記(1) 、(2) 、(3) 、(4) 、(5) 、(6) または(7) 記載の衣服収納加温器。
（９）衣服収納加温器の本体全体形状が略５角形状を呈して構成され、かつ、穴あき形態部を有し、該穴あき形態部を用いて該衣服収納加温器全体が吊り下げ可能に構成されていることを特徴とする上記(1) 、(2) 、(3) 、(4) 、(5) 、(6) または(7) 記載の衣服収納加温器。
（10）ハンガー収納機構が、該ハンガー収納機構の一部として、衣服収納加温器の本体に対して別体として付設されていてズボン・スカート類を掛けて収納できる揺動可能なハンガー構造部を有して構成されていることを特徴とする上記(1) 、(2) 、(3) 、(4) 、(5) 、(6) 、(7) 、(8) または(9) 記載の衣服収納加温器。
【発明の効果】
【０００９】
本発明によれば、個人が着る上着、下着、靴下などの衣服類一式を、該個人が冬季の早朝など、起床しなければならない時刻に合わせて、自動的に暖めておいてくれる衣服収納加温器が提供されるものである。
【発明を実施するための最良の形態】
【００１０】
以下、図面などに基づいて、更に詳しく本発明の衣服収納加温器について、説明する。
【００１１】
本発明の衣服収納加温器は、上着類を掛けて収納することが可能なハンガー収納機構と靴下・下着類等を内部に収納することができる内部収納機構を有して構成される衣類収納部と、該衣類収納部に収納された衣類を加温する加温機構と、所定時刻に設定すると該設定時刻の所定時間前から前記加温機構を作動開始させるタイマー機構の３要素を少なくとも有して構成されているものである。
【００１２】
図１は、本発明の衣服収納加温器の１実施態様例を示した概略斜視モデル図であり、本発明の衣服収納加温器１は、衣類収納部２と、該衣類収納部２に収納された衣類を加温する図示していない加温機構と、所定時刻に設定すると該設定時刻の所定時間前から該加温機構を作動開始させる図示していないタイマー機構の３要素を少なくとも有してなるものである。
【００１３】
該衣類収納部２は、上着類を掛けて収納することが可能なハンガー収納機構部分３と靴下・下着類等を内部に収納することができる内部収納機構部分４とからなっている。１０は電源コードである。内部収納機構部分４は、この図１に示した構造のものにおいては、後述する図４（ｃ）に示したもののように、エプロン型の形態を呈していて、止め紐８によりハンガー収納機構部分３と一体的に留められるようにされているものである。
【００１４】
図２は、本発明にかかる衣服収納加温器１の使用概念モデル図を示したものであり、ハンガー収納機構部分３に、例えば、中学生、高校生であれば、学生服の上着を掛けて収納することができ、さらに該ハンガー収納機構部分３の下側には隙間部５が設けられていて、該隙間部５には学生服のズボンを通して収納することができるようにされている。さらに、隙間部５の下方には、前記内部収納機構部分４が設けられていて、図２に示した例では、４つのポケットとして形成されているものである。このポケットには、下着やパンツ、靴下、ソックスなど、更にはマフラーや、帽子、手袋などまでが所望に応じ適宜に収納されるものである。
【００１５】
本発明の衣服収納加温器の加温機構は、例えば、表面のボード部と背面のボード部を有する薄形の箱状に形成され、その表面部もしくは内部には電熱ヒータなどの発熱体が組み込まれており、これに通電することにより発熱して、収納された上述した上着やズボン、下着や靴下などを加温する加温機構として設けられている。さらに、本発明の衣服収納加温器は、該加温機構への通電開始時間（加温機構の作動開始時間）をコントロールできるタイマー機構を有しており、例えば、起床時間を朝７時に設定すれば、その２時間前の朝５時にはタイマー動作により収納衣服への加温が開始されるように構成されているものである。
【００１６】
図１、図２において、６部分はタイマーを示している。発熱体は、コードヒーター、面状箔ヒーター、あるいは自己温度制御型ヒーター等を用いて構成することができ、衣類収納部の表面のボードおよび／または背面のボードの、内側および／または表面に取り付けることができる。該発熱体は、衣類全体を効率よく暖める上で、衣類収納加温器本体の実質的に全領域にわたり設けられているのがよい。
【００１７】
このような本発明の衣服収納加温器を用いれば、前日の夜の就寝前に、明朝に着る衣類一式を収納しておくことにより、朝、起きたときに暖められた衣類一式を身につけることができる。上述では、作動開始を起床時間の２時間前と説明したが、例えば、１時間前程度であってもよく、この作動開始時間と設定起床時間の間の時間も、使用者が適宜に０．５時間程度から２時間半程度の間において、初期設定できるようにされているのがよい。
【００１８】
図３は、本発明の衣服収納加温器の使用状態を説明するための概略概念モデル図であり、本願発明の衣服収納加温器１の内部収納機構部分４の上方に位置するハンガー収納機構部分３に、ズボンが掛けられて、さらに上着が掛けられているときの使用状況を示したものである。
【００１９】
本発明の衣服収納加温器において、好ましくは、衣類収納部２が、ハンガー収納機構部３と内部収納機構部４とがそれぞれ別部材として形成されていて、分離できるものであって、かつ、内部収納機構部４は主たる構成材料が繊維で構成されているのが好ましい。この構造の態様例を図４の（ａ）、（ｂ）、（ｃ）に示した。
【００２０】
図４の（ａ）は、その内部に加温部を有しているハンガー収納機構部分３であり、同図（ｂ）と（ｃ）は、それぞれ該ハンガー収納機構部分３に被せられるように使用される内部収納機構４を示したものであり、同図（ｂ）はチョッキ型であって肩ひも７を用いてボタン留め等によりハンガー収納機構部３に被せられるもの、同図（ｃ）はエプロン型であって止め紐８によりハンガー収納機構部３の肩部から前面などに被せられるようにされているものである。
【００２１】
このように、ハンガー収納機構部３と内部収納機構部４とがそれぞれ別部材として形成されていて分離できるものであって、かつ、内部収納機構部４が主たる構成材料が繊維で構成されている場合、内部収納機構部４が汚れたときなどに該内部収納機構部４のみを取り外して洗濯することができ、衛生さ、清潔さを保つ上で好ましい。
【００２２】
また、上述とは逆に、本発明の衣服収納加温器において、衣類収納部２が、ハンガー収納機構部３と内部収納機構部４とが一体化された構造のものとして形成されているものも好ましいものである。すなわち、一体化された構造の場合には、全体の持ち運びが簡単で便利であり、例えば、居間で衣類一式を収納した後、着用主体たる子供や学生の部屋に運ぶなどのときに便利なものである。このような一体化構造の場合には、例えば、図５の（ａ）に示したように、ハンガー収納機構部３の表面側にポケット状の内部収納機構部４を設けた構造のものや、あるいは同図（ｂ）に示したように、ハンガー収納機構部３の内側部に、靴下・下着類などを収納できて開閉可能の蓋１１が付いた仕切りボックス９を設けた構造のものなどが好ましいものである。
【００２３】
このように一体的にハンガー収納機構部３と内部収納機構部４とを構成する場合、汚れの付きにくい防汚性樹脂や、あるいは抗菌性の樹脂材料で該衣類収納部２を構成することも好ましい。
【００２４】
さらに本発明の衣服収納加温器は、所定時刻に設定すると該設定時刻の所定時間前から前述した加温機構を作動開始させるタイマー機構を有するものであるが、該タイマー機構は、計時回路を利用して構成することができるものである。図１、図２、図３に示した６は、設定時刻の液晶表示部であり、現在時刻の表示と、設定時刻の設定と表示をこの液晶表示部で行うことができる。
【００２５】
設定時刻の設定の仕方は、着用者が起床する起床時刻を設定するのが良く、その設定時刻を基準にして、その時刻の所定時間前に加温機構が作動開始するように計時回路を構成するのがよい。該作動開始を、設定時刻の何時間前に行わせるかということも、使用者が適宜に設定できるように構成することが好ましい。
【００２６】
設定された起床時間には、目覚ましのためのアラーム音を発して、目覚まし時計機能を有するように構成することが好ましい。
【００２７】
また、設定時刻または加温作動開始時刻を基準にして、自動的に加温機構の作動を停止させる自動停止タイマー機構を設けることが好ましい。例えば、起床設定時刻と同時に、または０．５〜１時間後に自動的に作動が停止されるように構成すること等が好ましい。
【００２８】
本発明の衣服収納加温器は、ハンガーのように吊り下げて使用することができるように図１〜５に示した如くに、頭部にフック形態部１２を有していること、あるいは、図６に示したように、頭部に穴あき形態部１３を有し該穴あき形態部１３を壁上のフックに通して吊り下げるようにされていることが好ましい。このように構成すれば、衣類にシワを生じさせることも少なく、また、場所をとることもほとんどないものとなる。
【００２９】
本発明の衣服収納加温器は、その全体的形態は、特に限定されるものではないが、頭部であるハンガー収納機構部を、左右の肩のようにして線対象形に形成するのが良いことから、図１〜６に示したような略５角形状のものが実際的であり好ましい。
【００３０】
ただし、略５角形状のものに限られず、使用者の趣味・嗜好などに合わせて、正面から見た底部を三角形状や円形状に切り欠いたような形状にしたり、あるいは、底部を頭部と線対称の形状のデザインにしたりすることもできる。
【００３１】
図７は、本発明の衣服収納加温器の他の１実施態様例を示した概略モデル図であり、同図（ａ）は斜視図、（ｂ）は右側面図である。
【００３２】
この態様においては、ハンガー収納機構部分３が該ハンガー収納機構３の一部として、衣服収納加温器の本体を成すハンガー収納機構３に加えて、更に該本体に対して別体として付設されていてズボン・スカート類を掛けて収納できる揺動可能なハンガー構造部３′を有して構成されている構造例を示したものである。揺動可能なハンガー構造部３′は、図７で示した支点Ｐを中心にして揺動することができ、適宜にズボン・スカート類をたたみ掛けて収納することかできる。揺動可能なハンガー構造部３′は、図８（ａ）に概略背面モデル図を示したように、ほぼ矩形状のものであってもよく、あるいは、図８（ｂ）に概略背面モデル図を示したように、ほぼ三角形状のものであってもよい。
【００３３】
図９は、本発明の請求項１にかかる衣服収納加温器とは別異のものとして、上着や靴下・下着類等を内部に収納することができる衣類収納部と、該衣類収納部に収納された衣類を加温する加温機構と、所定時刻に設定すると該設定時刻の所定時間前から加温機構を作動開始させるタイマー機構１５とを有して構成されていて、ただし、据え置きのボックス型として構成されている衣服収納加温器をモデル的に示した概略斜視図である。
【００３４】
かかるモデル図をみればわかるように、据え置き型であれば、場所を取るものとになり、また衣類をたたんで収納しなければならない場合も多く、シワになるなどの問題があり必ずしも好ましくない。ただし、就寝時に枕元に置けるなどのメリットはあるので、朝起きてから外出着に着替えるまでの部屋着などを暖めるなどの使用法をとって、本発明にかかる衣服収納加温器とセットで使用をすれば、一層起床しやすいなどの利点があるものである。このようなボックスタイプのものの場合には、図９に示したように、ボックス下部にヒーター１４を設けるのが良い。
【図面の簡単な説明】
【００３５】
【図１】図１は、本発明の衣服収納加温器の１実施態様例を示した概略斜視モデル図である。
【図２】図２は、本発明にかかる衣服収納加温器１の使用概念モデル図を示したものである。
【図３】図３は、その使用状態を説明するための概略概念モデル図であり、本願発明の衣服収納加温器１の内部収納機構部分４の上にズボンが掛けられて、さらに、上着が掛けられている状況を示したものである。
【図４】図４の（ａ）、（ｂ）、（ｃ）は、本発明の衣服収納加温器において、衣類収納部２を構成するハンガー収納機構部３と内部収納機構部４とがそれぞれ別部材として形成されていて分離できる構造にされている場合の態様構造例をモデル的に示したものである。
【図５】図５の（ａ）、（ｂ）は、本発明の衣服収納加温器において、衣類収納部２を構成するハンガー収納機構部３と内部収納機構部４とを一体構造部材として形成されている場合の態様構造例をモデル的に示したものである。
【図６】図６は、本発明の衣服収納加温器の他の１実施態様例を示した概略斜視モデル図である。
【図７】図７は、本発明の衣服収納加温器の他の１実施態様例を示した概略モデル図であり、（ａ）図は斜視図、（ｂ）図は右側面図である。
【図８】図８は、本発明の衣服収納加温器の他の１実施態様例を示した概略モデル図であり、（ａ）図、（ｂ）図ともに概略背面図である。
【図９】図９は、本発明とは別異のものとして、上着や靴下・下着類等を内部に収納することができる衣類収納部と、該衣類収納部に収納された衣類を加温する加温機構と、所定時刻に設定すると該設定時刻の所定時間前から加温機構を作動開始させるタイマー機構とを有して構成されていて、但し、据え置きのボックス型として構成されている衣服収納加温器をモデル的に示した概略斜視図である。
【符号の説明】
【００３６】
１：本発明の衣服収納加温器
２：衣類収納部
３、３′：上着類を掛けて収納することが可能なハンガー収納機構部分
４：靴下・下着類等を内部に収納することができる内部収納機構部分
５：隙間部
６：タイマー表示部
７：肩ひも
８：止め紐
９：蓋付きの仕切りボックス
１０：電源コード
１１：蓋
１２：フック形態部
１３：穴あき形態部
１４：ヒーター
１５：タイマー機構
Ｐ：３′の上着類を掛けて収納することが可能なハンガー収納機構部分の揺動支点
【図１】
2005253517.tif 000003
【図２】
2005253517.tif 000004
【図３】
2005253517.tif 000005
【図４】
2005253517.tif 000006
【図５】
2005253517.tif 000007
【図６】
2005253517.tif 000008
【図７】
2005253517.tif 000009
【図８】
2005253517.tif 000010
【図９】
2005253517.tif 000011